(57)【特許請求の範囲】
【請求項１】
ハンドルを有する本体ケースと、この本体ケースのカセット収納凹部に着脱自在に嵌合できる集塵カセットとからなり、この集塵カセットには、その本体ブロックの下面に吸込口が開口形成されているとともに、後面に、吸込口よりも大きいファン吸引口が開口形成され、吸込口からファン吸引口までの内部に湾曲した吸塵通路が形成され、その途中に柔軟な可撓性薄板である弁膜が設けられ、また本体ケース内には、電池と、この電池で駆動して前記ファン吸引口を通じて吸引することにより前記弁膜を開いて吸塵する吸引ファンと、前記電池を電源として高電圧を発生する高電圧発生回路と、その高電圧を印加されて放電し、前記吸込口の近傍に向かってイオンを発生して除電する除電電極とが内蔵されていることを特徴とする携帯型除電吸塵器。
【請求項２】
本体ケースの下面に及び集塵カセットの下面にコロが装着されていることを特徴とする請求項１に記載の携帯型除電吸塵器。
【請求項３】
吸込口が横長で、除電電極が吸込口と平行に延びる鋸歯状電極であることを特徴とする請求項１又は２に記載の携帯型除電吸塵器。
【発明の詳細な説明】
【０００１】
【発明の属する技術分野】
本発明は、手で持って操作して、除電しながら吸塵する携帯型除電吸塵器に関する。
【０００２】
【従来の技術】
本出願人は、特開平４−１９５３９号公報や特許第２６９１７０５号公報に開示されているように、犯罪現場に犯人が残した肉眼では確認しにくい足跡や毛髪等の微物を静電気を利用して採取する微物吸着採取装置を提供し、各地の警察署で採用され、犯罪証拠の採取に貢献している。
【０００３】
この微物吸着採取装置は、高電圧電源や放電電極を筒状本体に内蔵した帯電器と、絶縁材よりなる可撓性の採取シートとからなり、微物の存在が予想される面に採取シートを当て、帯電器を採取シートからやや離したところで走査するように手で動かして帯電させることにより、微物を採取シートに吸着させるものである。
【０００４】
【発明が解決しようとする課題】
従来、採取シートに吸着された微物を採取シートから取り除いて回収する場合、帯電器に備わっている除電機能を利用して除電してから、又は除電せずに、手作業で拭き取っていたので、その作業が面倒であるとともに、採取漏れが生ずる等の問題があった。
【０００５】
本発明の目的は、上記のように採取シートに静電気で吸着された微物を採取シートから取り除いて回収するのに好適な携帯型除電吸塵器を提供することにある。
【０００６】
【課題を解決するための手段】
本発明による携帯型除電吸塵器は、ハンドルを有する本体ケースと、この本体ケースのカセット収納凹部に着脱自在に嵌合できる集塵カセットとからなり、この集塵カセットには、その本体ブロックの下面に吸込口が開口形成されているとともに、後面に、吸込口よりも大きいファン吸引口が開口形成され、吸込口からファン吸引口までの内部に湾曲した吸塵通路が形成され、その途中に柔軟な可撓性薄板である弁膜が設けられ、また本体ケース内には、電池と、この電池で駆動してファン吸引口を通じて吸引することにより弁膜を開いて吸塵する吸引ファンと、電池を電源として高電圧を発生する高電圧発生回路と、その高電圧を印加されて放電し、吸込口の近傍に向かってイオンを発生して除電する除電電極とが内蔵されていることを特徴とする。
【０００７】
この携帯型除電吸塵器を用いて上記のような採取シートから微物を回収する場合、吸込口を採取シートの表面に向けてこれに沿って動かすと、吸込口の近傍が除電されながら、微物が吸込口から吸引されて吸塵物収納部に収納される。
【０００８】
本体ケースの下面に及び集塵カセットの下面にコロを装着すれば、本体ケースを動かしながらの吸塵をスムーズに行える。
【０００９】
吸込口を横長とし、除電電極を吸込口と平行に延びる鋸歯状電極とすれば、吸込口近傍への除電を平均に行える。
【００１０】
吸込口と吸塵物収納部を本体ケースに着脱自在な集塵カセットに設ければ、吸塵した微物の取り出し及びその後の内部の清掃を容易に行える。
【００１１】
吸込口と吸塵物収納部との間に、通常は閉じていて吸込口から吸引される空気圧により撓んで開放する弁膜を設ければ、吸塵物収納部への微物の吸塵と収納を簡単な構造で行える。
【００１２】
【発明の実施の形態】
次に、本発明の実施の形態を図面に基づいて詳細に説明する。
【００１３】
この携帯型除電吸塵器は、図１〜図３に示すように、箱状の本体ケース１の上面に設けられたハンドル２を持って携行できるとともに、ハンドル２を持って吸塵対象面３上を走行させることにより、本体ケース１内に設けられた除電部４で除電しながら本体ケース１内の吸引ファン５で吸塵して、本体ケース１に着脱自在な集塵カセット６内に集塵できるようになっている。
【００１４】
除電部４の高電圧発生回路７及び吸引ファン５は、本体ケース１内の上部に着脱自在に収納されている充電式電池８を電源として、本体ケース１の側面外部に設けられた電源スイッチ９をオンにすることにより駆動される。
【００１５】
本体ケース１の前側下部において、電極収納部１０の下側が欠如されているとともに、この電極収納部１０の後側に横長のカセット収納凹部１１が形成され、集塵カセット６は、図４に示すようにこのカセット収納凹部１１に下側から着脱自在に嵌合できるようになっている。
【００１６】
図５〜図７に集塵カセット６を示す。集塵カセット６の本体ブロック１２には、下面に横長の吸込口１３が開口形成されているとともに、後面に、吸込口１３よりも大きいファン吸引口１４が開口形成され、吸込口１３からファン吸引口１４までの内部に吸塵通路１５が形成されている。この吸塵通路１５は、その前側内面１５ａと後側内面１５ｂとを湾曲させながら吸塵通路１５へと開口している。
【００１７】
この吸塵通路１５内の途中に、柔軟な可撓性薄板である弁膜１６が設けられている。この弁膜１６は、その基端部を吸塵通路１５の後側内面１５ｂに貼り付けられ、その復元力によって、通常は図５に示すように先端部が前側内面１５ａに当接し、吸塵通路１５の途中をＵ形に湾曲した状態で閉じる。この状態のとき、弁膜１６とファン吸引口１４との間の空間は吸塵物収納部１７となる。吸引ファン５が駆動すると、その吸引力により弁膜１６は図６に示すように更に湾曲して先端部が前側内面１５ａから離れ、吸塵通路１５を開通させる。
【００１８】
集塵カセット６の本体ブロック１２の下面には、吸込口１３の両端近傍の一対の凹部１８内に、一対の大コロ１９が一部を凹部１８から突出させて軸支されている。
【００１９】
一方、本体ケース１内には、集塵カセット６のファン吸引口１４の全面を覆う大きさのフィルタ２０が、吸引ファン５の前側に着脱可能にセットされ、また本体ケース１の下面後部には、一対の小コロ２１が一部を凹部から突出させて軸支されている。また、本体ケース１の後面には、図３に示すように多数の小さい排気孔２２が設けられている。
【００２０】
本体ケース１内の除電部４は、図２に示すような鋸歯状の除電電極２３が吸込口１３と平行となるように設けられ、高電圧発生回路７から高電圧を印加されることにより、吸込口１３の前側近傍に向かってイオンを発生させる。
【００２１】
この携帯型除電吸塵器は上記のような構成であるので、吸塵対象面３が例えば前述のような微物を吸着した採取シートである場合、電源スイッチ９をオンにして、ハンドル２を持って本体ケース１を採取シート上で走行させれば、除電電極２３からのイオンにより吸込口１３の前側近傍を除電しながら、採取シート上の微物を吸込口１３から吸塵することができる。吸塵された微物は、集塵カセット６内の吸塵物収納部１７内に収容されるので、電源スイッチ９をオフにしてから、集塵カセット６を図４に示すように本体ケース１から外せば、そのときには弁膜１６が閉じているので、ファン吸引口１４を下向きに集塵カセット６を振動させることにより、吸塵物収納部１７内の微物を容易に取り出すことができる。
【００２２】
【発明の効果】
以上説明したように本発明の携帯型除電吸塵器によれば、吸込口を吸塵対象面に向けてこれに沿って動かすと、集塵カセットの吸込口の近傍が除電されながら、微物が吸込口から吸引されて吸塵物収納部（集塵カセットの吸塵通路）に収納されるので、採取シートに静電気で吸着された微物を採取シートから取り除いて回収するのに好適である。
また、吸込口と吸塵物収納部を、本体ケースのカセット収納凹部に着脱自在に嵌合できる集塵カセットに設けたので、吸塵した微物の取り出し及びその後の内部の清掃を容易に行える。
さらに、吸込口と吸塵物収納部との間に、通常は閉じていて吸込口から吸引される空気圧により撓んで開放する弁膜を設けたので、吸塵物収納部への微物の吸塵と収納を簡単な構造で行える。
【００２３】
請求項２に係る発明のように、本体ケースの下面に及び集塵カセットの下面ににコロを装着すれば、本体ケースを動かしながらの吸塵をスムーズに行える。
【０００２４】
請求項３に係る発明のように、吸込口を横長とし、除電電極を吸込口と平行に延びる鋸歯状電極とすれば、吸込口近傍への除電を平均に行える。
【図面の簡単な説明】
【図１】本発明による携帯型除電吸塵器の一実施例の側面図である。
【図２】同じく正面図である。
【図３】同じく背面図である。
【図４】集塵カセットを外した状態の側面図である。
【図５】集塵カセットの断面図で、弁膜が閉じた状態である。
【図６】同じく弁膜が閉じた状態の断面図である。
【図７】集塵カセットの斜視図である。
【符号の説明】
１  本体ケース
２  ハンドル
３  吸塵対象面
４  除電部
５  吸引ファン
６  集塵カセット
７  高電圧発生回路
８  電池
９  電源スイッチ
１０  電極収納部
１１  カセット収納凹部
１２  本体ブロック
１３  吸込口
１４  ファン吸引口
１５  吸塵通路
１５ａ  前側内面
１５ｂ  後側内面
１６  弁膜
１７  吸塵物収納部
１８  凹部
１９  大コロ
２０  フィルタ
２１  小コロ
２２  排気孔
２３  除電電極
【図１】
0003750109.tif 000002
【図２】
0003750109.tif 000003
【図３】
0003750109.tif 000004
【図４】
0003750109.tif 000005
【図５】
0003750109.tif 000006
【図６】
0003750109.tif 000007
【図７】
0003750109.tif 000008